(57)【要約】【課題】プレス時のバランスがよく、アイロンかけ中にアイロン後端を下にして縦置きした場合の安定性がよく、通電インジケーターなどの表示が見やすい、コードレス・スチームアイロンを提供する。【解決手段】アイロンベース２、アイロンベースに積み重ねて取り付けられた気化ベース６、気化ベースを覆う断熱板、断熱板の上方を覆う筐体、筐体の上方に筐体に連なって設けられたハンドル８を備え、ハンドル８を握って操作することによりプレスするスチームアイロンにおいて、ハンドル８の前端は一箇所で後端は二股のアーム１６により二箇所で筐体７に取り付けられ、二股のアーム１６間の筐体７表面に表示装置を設ける。【選択図】      図４
2011078615.tif 000002
【特許請求の範囲】
【請求項１】
アイロンベース、該アイロンベースに積み重ねて取り付けられた気化ベース、該気化ベースを覆う断熱板、該断熱板の上方を覆う筐体、該筐体の上方に該筐体に連なって設けられたハンドルを備え、該ハンドルを握って操作することによりプレスするスチームアイロンにおいて、前記ハンドルの前端は一箇所で後端は二股のアームにより二箇所で前記筐体に取り付けられ、前記二股のアーム間の筐体表面に表示装置を設けたことを特徴とするスチームアイロン。
【請求項２】
前記アイロンは、コードレスアイロンであることを特徴とする請求項１に記載のスチームアイロン。
【請求項３】
前記表示装置は、ヒータのＯＮ／ＯＦＦを示すインジケーターであることを特徴とする請求項１に記載のスチームアイロン。
【請求項４】
前記表示装置は、通電中を示すインジケーターであることを特徴とする請求項１に記載のスチームアイロン。
【請求項５】
前記インジケーターは、１個以上のＬＥＤであることを特徴とする請求項３に記載のスチームアイロン。
【請求項６】
前記インジケーターは、１個以上のネオンランプであることを特徴とする請求項３に記載のスチームアイロン。
【請求項７】
前記表示装置は、ヒータの設定温度レベルを表示する操作パネルであることを特徴とする請求項１に記載のスチームアイロン。
【発明の詳細な説明】
【技術分野】
【０００１】
本発明は、衣類等をプレスするアイロンに関するものであり、コードレス・スチームアイロンに係るものである。
【背景技術】
【０００２】
アイロンは、構成を略述すれば、アイロンベース、アイロンベースに重ねて取り付けられたヒータ部、ヒータ部を覆う断熱板、断熱板の上方を覆う筐体、筐体に連なって設けられたハンドルを備え、ハンドルを握って操作することにより衣類等をプレスする。ハンドルにはプレスの対象によって適切な温度範囲を設定する温度設定手段が設けられている。
【０００３】
さらに、衣類等をアイロン掛けする際に、しわを伸ばし、形を整えるのを容易にするため、蒸気を吹付けて能率よくプレスできるように、スチーム機能を備えたいわゆるスチームアイロンがある。スチームアイロンの場合は、上記の各部のほかに、スチームを作る気化室を備えた気化ベース、スチーム用の水を蓄えるタンク、スチーム機能とドライ機能の切り替えを行なう切替機構、タンクに設けたスプレー用ノズル等を備えている。その他に、通電状態にあるか電源が切断されているかを示すインジケーターや、設定温度やスチーム量の設定状況などを示す操作パネルが設けられる。
【０００４】
アイロンのハンドルは、通常その両端が筐体の上方に筐体に連なって設けられたアーチ型か又はその一端が筐体の前方上方に連なり後端は浮かせて設けられた片持ち梁かである。軽量のアイロンの場合は片持ち梁のハンドルが用いられるが、重量のあるもの、プレスの圧力を必要とするものなどは、強度の関係でアーチ型が用いられる。しかしながら、アーチ型の場合には、アイロン後端部の中心がハンドルのアームで塞がれるために、ＯＮ／ＯＦＦインジケーターは、アイロンの側面に配置するしかなく、このためにタンクの形状が左右非対称になったり、インジケーターが見えにくくなったり、アイロンがデザイン上バランスを欠いたりする問題があった。
【０００５】
従来のこの種アイロンとして下記特許文献１に開示されたスチームアイロンは、図７、図８に示すような構成になっている。
【０００６】
アイロン本体１０１の下部に設けられた加熱手段を有するベース１０３と、ベースの上方に遮熱板１２８を介して固定され、空洞を有する取手部を形成したハンドル１０７と、アイロン本体１０１に設けられた容器１０８と、容器１０８の水をベース１０３に形成した気化室１０４に供給または遮断のいずれかに切替える操作部１４１とを備え、容器１０８からの水を気化室１０４に供給することで、気化室１０４に連通する噴出孔１０５からスチームを噴出するスチームアイロンにおいて、操作部１４１は、容器１０８から気化室１０４に至る通水路に設けた弁体を操作部１４１の操作に応じて開閉する開閉制御部１４２と、操作部１４１の設定状態を表示する表示装置１９２を備えたスチームアイロンが開示されている。そして、操作部１４１はハンドル１０７の側面に位置し、表示装置１９２はハンドル１０７の上面に設けられている。また、表示装置１９２は操作部１４１の操作に応じて前後に移動する表示帯１５０を有し、表示帯１５０はハンドル１０７の上面に設けられた窓部より臨んで位置している。１７１はコードレスアイロンの載置台である。
【０００７】
また、下記特許文献２に開示されたものは、図９乃至図１０に示すような構成になっている。
【０００８】
すなわち、図９、図１０には、下から上の順に、加熱用ソールプレート２０１、ケーシングによって画定された本体２０２、および、アイロンの本体２０２に後端が接続された握りハンドル２０３を有するプレス用アイロンが開示されている。ハンドル２０３は、アイロンの正中面に関して実質的に対称なように、ハンドル２０３から本体に外向きに延びる少なくとも２つのアーム２０５によって、本体２０２に接続されており、これによって、それらの間に開放空間２０７またはスペースが造られる。アーム２０５は、本体２０２の後部と共に、後面で置かれるアイロンのための支持平面を生成するように配置されている。そして、本体２０２は、開放空間２０７内に配置されたアイロンの電源コード引出し口を有しており、開放空間２０７の寸法は、器具の保管の間、アイロンの電源コードがそこに畳み込まれ又そのプラグと共に格納されるのを可能にする。２０４は脚であり、２０８はコード引き出し口、２０９はハンドル後端に設けたコードを通過させるための凹部である。
【先行技術文献】
【特許文献】
【０００９】
【特許文献１】特開２０００−９３６９９号公報
【特許文献２】特表２００５−５０３９０６号公報
【発明の概要】
【発明が解決しようとする課題】
【００１０】
しかしながら、特許文献１のスチームアイロンは、コードレスアイロンであるが、その操作部の設定状態を表示する表示装置は、ハンドル表面に設けられてスチーム操作部の位置すべき場所を占め、さらに、押圧時に力の掛るスチーム操作部がハンドル側面におかれているため、使用上操作は必ずしも容易ではなかった。又、ハンドルの前後はアイロン本体の各一箇所で接続され、プレス時のバランスや、アイロンかけ中にアイロン後端を下にして縦置きした場合の安定性がよいとは言いがたかった。
【００１１】
一方、特許文献２のアイロンは、ハンドル２０３の後部をアイロンの正中面に関して実質的に対称なように、ハンドル２０３から本体に外向きに延びる少なくとも２つのアーム２０５によって、本体２０２に接続されており、それらの間に造られた開放空間２０７は、給電コードの格納に使用されている。また、アイロンがコードレスの場合には、スペースは支持台のアイロンの接続用の接点を受け入れるために使われる。そのためこのアイロンにおいては、アイロンの操作状況に関する情報を知らせる表示装置に関しては情報がなく、使用上不便であった。
【００１２】
本発明は、プレス時のバランスがよく、アイロンかけ中にアイロン後端を下にして縦置きした場合の安定性がよいスチームアイロンを提供するものである。また、通電インジケーターなどの表示が見やすい、スチームアイロンを提供するものである。
【課題を解決するための手段】
【００１３】
本発明は、上記のような課題を解決するためになされたもので、課題を解決するために、次のような手段を採るものである。
【００１４】
請求項１に記載のスチームアイロンの発明は、アイロンベース、該アイロンベースに積み重ねて取り付けられた気化ベース、該気化ベースを覆う断熱板、該断熱板の上方を覆う筐体、該筐体の上方に該筐体に連なって設けられたハンドルを備え、該ハンドルを握って操作することによりプレスするスチームアイロンにおいて、前記ハンドルの前端は一箇所で後端は二股のアームにより二箇所で前記筐体に取り付けられ、前記二股のアーム間の筐体表面に表示装置を設けたことを特徴とする。
【００１５】
また、請求項２に記載の発明は、請求項１に記載のスチームアイロンにおいて、前記アイロンは、コードレスアイロンであることを特徴とする。
【００１６】
また、請求項３に記載の発明は、請求項１に記載のスチームアイロンにおいて、前記表示装置は、ヒータのＯＮ／ＯＦＦを示すインジケーターであることを特徴とする。
【００１７】
また、請求項４に記載の発明は、請求項１に記載のスチームアイロンにおいて、前記表示装置は、通電中を示すインジケーターであることを特徴とする。
【００１８】
また、請求項５に記載の発明は、請求項３に記載のスチームアイロンにおいて、前記インジケーターは、１個以上のＬＥＤであることを特徴とする。
【００１９】
また、請求項６に記載の発明は、請求項３に記載のスチームアイロンにおいて、前記インジケーターは、１個以上のネオンランプであることを特徴とする。
【００２０】
また、請求項７に記載の発明は、請求項１に記載のスチームアイロンにおいて、前記表示装置は、ヒータの設定温度レベルを表示する操作パネルであることを特徴とする。
【発明の効果】
【００２１】
本発明は上記構成を備えることにより、以下に示すような優れた効果を奏する。
【００２２】
すなわち、請求項１に記載のスチームアイロンの発明によれば、アイロンベース、該アイロンベースに積み重ねて取り付けられた気化ベース、該気化ベースを覆う断熱板、該断熱板の上方を覆う筐体、該筐体の上方に該筐体に連なって設けられたハンドルを備え、該ハンドルを握って操作することによりプレスするスチームアイロンにおいて、前記ハンドルの前端は一箇所で後端は二股のアームにより二箇所で前記筐体に取り付けられ、前記二股のアーム間の筐体表面に表示装置を設けたことによって、プレス時のバランスがよく、アイロンかけ中にアイロン後端を下にして縦置きした場合の安定性がよく、また、二股のアーム間の筐体表面に表示装置を設けた充電インジケーターや操作パネルなどの表示が見やすい、スチームアイロンを提供することができる。
【００２３】
また、請求項２に記載のスチームアイロンの発明によれば、請求項１に記載のスチームアイロンにおいて、前記アイロンは、コードレスアイロンであるので、コードレスアイロン用の載置台に置かれたときにも、二股のアーム間の筐体表面に設けた充電インジケーターなどの表示装置の表示が見やすい効果がある。
【００２４】
また、請求項３に記載のスチームアイロンの発明によれば、請求項１に記載のスチームアイロンにおいて、前記表示装置は、ヒータのＯＮ／ＯＦＦを示すインジケーターであることにより、アイロンが電源に接続されているか否かが判断しやすい。
【００２５】
また、請求項４に記載の発明によれば、請求項１に記載のスチームアイロンにおいて、前記表示装置は、通電中を示すインジケーターであることにより、アイロンが通電中か否かが判断しやすい。
【００２６】
また、請求項５に記載のスチームアイロンの発明によれば、請求項３に記載のスチームアイロンにおいて、前記インジケーターは、１個以上のＬＥＤであることにより電源に接続されているか否かだけでなく他の表示も出来、しかもＬＥＤであるから低消費電力であり、且つ視認しやすい。
【００２７】
また、請求項６に記載の発明によれば、請求項３に記載のスチームアイロンにおいて、前記インジケーターは、１個以上のネオンランプであることにより各種の表示が出来且つ視認しやすい。
【００２８】
また、請求項７に記載のスチームアイロンの発明によれば、請求項１に記載のスチームアイロンにおいて、前記表示装置は、ヒータの設定温度レベルを表示する操作パネルであることによって、表示装置は手の握りで隠されることが無いので使用状態が視認しやすい。
【図面の簡単な説明】
【００２９】
【図１】図１は、本発明の一実施例に係るスチームアイロンのアイロンベースの平面図である。
【図２】図２は、図１の実施例に係るスチームアイロンの側面図である。
【図３】図３は、図１の実施例に係るスチームアイロンの平面図である。
【図４】図４は、本発明の一実施例に係るスチームアイロンの背面図である図４Ａと、同じくその背面の斜視図である図４Ｂを示す。
【図５】図５は、本発明の一実施例に係るスチームアイロンの斜視図である。
【図６】図６は、本発明の他の実施例に係るスチームアイロンの斜視図である図６Ａとその操作パネル図６Ｂである。
【図７】図７は、従来のスチームアイロンの側断面図である。
【図８】図８は、図７のスチームアイロンの平面図である。
【図９】図９は、他の従来のアイロンの側面図である。
【図１０】図１０は、図９のアイロンの背面図である。
【発明を実施するための形態】
【００３０】
以下、図面を参照して本発明の実施形態を説明する。但し、以下に示す実施形態は、本発明の技術的思想を具体化するためのスチームアイロンを例示するものであって、本発明をこのスチームアイロンに特定することを意図するものではなく、特許請求の範囲に含まれるその他の実施形態のものにも等しく適応し得るものである。
【実施例１】
【００３１】
以下、本発明の一実施例を、添付図面を参照しつつ説明する。
【００３２】
図１は、本発明の一実施例に係るスチームアイロンのアイロンベース２の平面図であり、かけ面３から見た図である。金属製のアイロンベース２には、スチームを噴射する複数のスチーム孔４が開口し、スチーム孔４のうちの選択されたものはそれぞれ掛け面３に設けた複数のくぼみ５の中に形成されている。
【００３３】
図２は、図１の実施例に係るスチームアイロンの側面図である。図によって明らかなように、アイロンベース２の上には気化ベース６が重ねられている。気化ベース６は、所定長の底辺を有し、前側先端部に尖った頂部を有し、所定の肉厚を有するほぼ三角形状の板状体からなり、アルミ等の熱伝導性の高い金属材料で形成されている。この気化ベース６は、図示しないが、ほぼ中央上部に所定の大きさの開口及び深さを有する凹状穴からなる気化室が形成され、その周囲下方にはヒータが埋設されている。気化室はスチーム孔４に連通しており、スチームが導かれる。
【００３４】
気化ベース６の上は、気化ベース６を覆う断熱板が設けられている。その断熱板の上方にはスプレーやショットスチームなどのアイロンの内部機構を備え、内部機構を覆っている樹脂製の筐体７と、筐体７の上部に連続して形成されたハンドル８を有する。筐体７にはタンク１４が固定的にあるいは着脱自在に組み合わされて、これらがアイロン本体１を形成している。アイロン本体１の内部においては、タンク１４からの水を気化ベース６の気化室に供給することにより、この気化室に連通したアイロンベース２のスチーム孔からスチームを噴出する。さらに、アイロン本体１の前部にはスプレー噴射口９が設けられ、その上部にはタンク１４への注水口やスチームドライ切替ダイヤル１２、ショットスチームポンプ１０、スプレーポンプ１１が設けられている。
【００３５】
図３は、本実施例に係るスチームアイロンを上から見た平面図である。アイロン本体１の筐体７の上部には、前方に向かって右側タンク１４ａ及び左側タンク１４ｂを有し前部で結合されてＵ字型をなしているタンク１４が組み合わされ、取付けられている。このタンク１４は、全体として後方に開いたＵ字型の形状をなし、その両側の袖部が貯水部となっている。そして、タンク１４の前側には注水口が設けられている。タンク１４は、空洞内に注水口から注がれる水を貯留できる。１５は注水口の蓋であり、２２はタンク着脱釦である。
【００３６】
上述したように、アイロン本体１の前部からハンドル８にかけては、スプレー噴射口９、注水口蓋１５、スチームドライ切替ダイヤル１２、並べて設けられたショットスチームポンプ１０、スプレーポンプ１１及び操作パネル１３が設けられている。操作パネル１３には、アイロンベース２の設定温度を低、中、高に切り替える設定釦１３ａ及び電源を切断状態にする電源切断釦１３ｂと、設定した温度を表示する温度表示部１３ｃを備えている。
【００３７】
図４Ａは、本実施例に係るスチームアイロンの背面図である。コードレスアイロンである実施例のアイロンは、図示しない載置台に載せて給電されるが、その際に所定位置に固定されて電源に接続されるように、アイロン本体1の背面に設けた凹部１９に、アイロン本体１と一体に形成された給電ガイド２０と給電端子２１を備えている。アイロン本体１の上部にはハンドル８の後端が二股のアーム１６で筐体７に一体に成型固定されている。二股のアーム１６によって形成された中央部の空所１７の筐体７には、インジケーター１８が設けてある。インジケーター１８は、ＬＥＤ製でヒータのＯＮ／ＯＦＦを示し、アイロンが電源に接続されているか否かが判断できる。
【００３８】
なお、載置台は、コードレスアイロンにおいて公知のように、アイロン本体１を載せる載置部を備え、その載置部の下側に受け部を設けている。受け部には、アイロン本体１の給電端子２１に対応する給電接点が設けられており、アイロン本体１が載置台に載せられると、給電ガイド２０で位置決めされた給電端子２１が給電接点に当接して、支持台の電源コードから供給される電力をアイロン本体１に給電する。
【００３９】
図４Ｂは、図４Ａと同じく本実施例に係るスチームアイロンの背面の斜視図を示す。また、図５は、本実施例に係るスチームアイロンの斜視図である。これらの図により、ハンドル８の後端がアーム１６で筐体７に成型固定され、二股のアーム１６によって形成された中央部の空所１７には、インジケーター１８が設けてある様子が理解できる。
【００４０】
これらの各図に示したように、本発明のスチームアイロンは、アイロンベース２、アイロンベースに重ねて取り付けられた気化ベース６、気化ベースを覆う断熱板、断熱板の上方を覆う筐体、筐体の上方に筐体に連なって設けられたハンドル８を備え、ハンドルを握って操作することによりプレスするが、ハンドル８の前端は一箇所で筐体７に取り付けられ、後端は二股のアーム１６により二箇所で筐体７に取り付けられている。このようなハンドルが３点で支持されたアイロンは、片持ち梁のハンドルや二点支持のハンドルに比較して、ハンドルが丈夫であってプレスする力が加え易いので、プレス時の安定性がよく、圧力を被プレス物に効率的に伝えられる。さらに、アイロン後端の面積が広く採れるので、プレスの途中にアイロンを縦置きする場合に安定性のよいデザインにすることができる。本実施例は、このようなスチームアイロンにおいて、二股のアーム１６間にできた空間の筐体表面７ａに表示装置を設けたものである。
【００４１】
インジケーター１８は、例えばＬＥＤ製でヒータのＯＮ／ＯＦＦを示し、アイロンが載置台に載置されヒータがＯＮされると点灯し、設定温度に達して保持されると消灯する。また、通電中を示すインジケーターとして、アイロンが電源に接続されているか否かが判断できるようにしてもよい。インジケーター１８は、ハンドル後端の二股のアーム間にできた空所１７の筐体表面７ａに設けてあるので、アイロンの後部中央に位置しており、前方からも後方からも視認が容易である。ＬＥＤの色は必要に応じて選択される。又、１個だけでなく表示すべき機能の数に応じ、その色を変えて必要な個数設けることができる。さらに、インジケーターは、ＬＥＤに限られず、１個以上のネオンランプであってもよい。
【実施例２】
【００４２】
図６は、本発明の他の実施例に係るスチームアイロンの斜視図６Ａとその操作パネル図６Ｂである。アイロン本体１のハンドル８の内部には、図示しない制御基板が収容されている。この制御基板は、アイロンベース２の温度をプレス対象の繊維に応じて低、中、高と段階的あるいは連続的に変えて設定し、気化ベース６のヒータ等を制御する。設定は操作パネル１３の設定釦１３ａによって行なわれ、設定内容は操作パネル１３に表示される。制御基板は、アイロン本体１の後部に設けられた給電端子２１に接続されている。
【００４３】
操作パネル１３は、図６Ｂに示すように、アイロンベース２の設定温度を変更する設定釦１３ａにより設定される温度レベル、例えば「高」「中」「低」の表示と、複数の発光ダイオード１３ｄやネオンランプにより現在の設定温度を表示する温度表示部１３ｃによって構成されている。又、使用状態がスチームかドライかも示す。操作パネル１３は、実施例１においてはハンドル８の上に設けられているが、本実施例では図６Ａに示したように、その表示部を二股のアーム１６間にできた空所１７内の筐体表面７ａに設ける。ハンドル８の上に設けた場合には、プレス中にはハンドルを握った手によって隠されることになるが、空所１７内の筐体表面７ａに設けた場合には、プレス作業中にも操作パネル１３を見ることができる。かくして、使用状態を認識し易くなる他、アイロンのデザインの多様化にも役立つ。１３ｂは電源切断釦である。
【００４４】
筐体７の前方上部より突出して切り替え可能に設けられたスチームドライ切替ダイヤル１２は、タンク１４に収容した水を気化ベース６の気化室に供給（スチーム生成開始）または停止（スチーム生成終了）のいずれかに切替えるものである。スチームドライ切替ダイヤル１２が、「スチーム」すなわち操作パネル１３の「スチーム」側に位置しているときには、タンク１４から気化室に水が供給される。スチームドライ切替ダイヤル１２が、「ドライ」すなわち操作パネル１３の「ドライ」側に位置しているときには、タンク１４から気化室への水の供給が遮断される。この「ドライ」，「スチーム」に関わる設定状態の切り替表示は、表示装置を空所１７内の筐体表面７ａに設けた場合には、プレス作業中にも見ることができる。
【００４５】
次に、このスチームアイロンの使用方法は、操作部のスチームドライ切替ダイヤル１２を作動させてスチーム或いはドライを選択してアイロンかけを行うが、この使用法は従来のスチームアイロンと同じである。スチームドライ切替ダイヤル１２を切り替えてスチーム生成モードとし、ショットスチームボタンを適宜押下することにより、タンクに連結した図示しないノズルの先端部が開放され、このノズルから流出する水滴が気化ベース６の気化室へ滴下され、これにより、気化室で蒸気が生成される。尚、一般的な滴下式の蒸気生成機構は、公知技術であるためここでの詳細な説明は省略する。
【００４６】
以上説明したような、本発明のスチームアイロンによれば、プレス時のバランスがよく、アイロンかけ中にアイロン後端を下にして縦置きした場合の安定性がよい。また、通電インジケーターなどの表示装置が見やすくアイロンのデザイン的な可能性を広げることができる。
【符号の説明】
【００４７】
１          アイロン本体
２          アイロンベース
３          掛け面
４          スチーム孔
５          くぼみ
６          気化ベース
７          筐体
８          ハンドル
９          スプレー噴射口
１０        ショットスチームポンプボタン
１１        スプレーポンプボタン
１２        スチームドライ切替ダイヤル
１３        操作パネル
１４        タンク
１５        注水口蓋
１６        アーム
１７        空所
１８        インジケーター
１９        凹部
２０        給電ガイド
２１        給電端子
【図１】
2011078615.tif 000003
【図２】
2011078615.tif 000004
【図３】
2011078615.tif 000005
【図４】
2011078615.tif 000006
【図５】
2011078615.tif 000007
【図６】
2011078615.tif 000008
【図７】
2011078615.tif 000009
【図８】
2011078615.tif 000010
【図９】
2011078615.tif 000011
【図１０】
2011078615.tif 000012